(57)【要約】【課題】吸水性を有しながら、生地が湿潤時でも水の膜の形成を抑制し、生地の通気性を確保し、皮膚上の汗を常に身体表面上で気化することで、有効発汗量を増やし、運動パフォーマンスを低下させず、発汗時にも快適に着用できる被服用生地及びこれを用いた被服を提供する。【解決手段】生地の厚み方向に貫通した貫通孔２を有する被服用生地１であって、貫通孔２は前記生地の一方向に配列しており、貫通孔２に接する少なくとも一部には撥水または疎水領域（３）が配置され、他の部分には親水領域（４）が配置されている。撥水または疎水領域（３）の部分は溝部５となっていてもよい。本発明の被服は、前記の被服用生地を含み、前記生地部分は厚み方向に貫通した貫通孔が身丈方向に配列されている。【選択図】図３
2019131915.tif 000002
【特許請求の範囲】
【請求項１】
生地の厚み方向に貫通した貫通孔を有する被服用生地であって、
前記貫通孔は前記生地の一方向に配列しており、
前記貫通孔に接する少なくとも一部には撥水または疎水領域が配置され、他の部分には親水領域が配置されていることを特徴とする被服用生地。
【請求項２】
前記被服用生地は、撥水または疎水領域（Ａ）と親水領域（Ｂ）が被服用生地を占める面積比がＡ：Ｂ＝１：９９〜９０：１０である請求項１に記載の被服用生地。
【請求項３】
前記被服用生地の生地重量１００％に対して、３００％水分を湿潤させた状態で、前記貫通孔が垂直方向となるように吊り下げたとき、前記貫通孔は空隙を維持する請求項１又は２に記載の被服用生地。
【請求項４】
生地を地面に対して垂直方向に設置した際、垂直方向に水が流れやすいラインを有する請求項1〜３に記載の被服用生地。
【請求項５】
前記撥水または疎水領域には撥水性繊維糸及び疎水性繊維糸から選ばれる少なくとも一つの繊維糸が配置され、前記親水領域には親水性繊維糸が配置されている請求項１の被服用生地。
【請求項６】
前記被服用生地は、撥水性繊維糸及び疎水性繊維糸から選ばれる少なくとも一つの繊維糸（Ｉ）と、親水性繊維糸（ＩＩ）の割合が、被服用生地を１００質量％としたとき、Ｉ：ＩＩ＝１：９９〜９０：１０である請求項５に記載の被服用生地。
【請求項７】
前記貫通孔の大きさは、タテ及びヨコ方向の長さでいずれも平均０．３ｍｍ以上２５ｍｍ以下である請求項１〜６のいずれかに記載の被服用生地。
【請求項８】
前記被服用生地の開口率は、１％以上５０％以下である請求項１〜７のいずれかに記載の被服用生地。
【請求項９】
請求項１〜８のいずれかに記載の被服用生地を含み、前記生地部分は厚み方向に貫通した貫通孔が身丈方向に配列していることを特徴とする被服。
【請求項１０】
前記被服はスポーツ用被服である請求項９に記載の被服。
【発明の詳細な説明】
【技術分野】
【０００１】
本発明は、被服用生地及びこれを用いた被服に関する。さらに詳しくは、発汗時にも快適に着用できる被服用生地及びこれを用いた被服に関する。
【背景技術】
【０００２】
発汗を伴うスポーツには、発汗対策をした被服を着用するのが快適である。従来の被服は、発汗時などの湿潤状態においては、水（汗）の膜が生地表面上に形成されて通気性が減少し、皮膚上の汗の気化を阻害する状態となる。この状態は、無効発汗が増え、深部体温の上昇による運動パフォーマンスが低下し、不快感も高くなる問題につながる。従来技術として、特許文献２〜３にはメッシュを有する編地が提案され、特許文献１，４にはメッシュ編地に撥水剤を付着させることが提案されている。
【先行技術文献】
【特許文献】
【０００３】
【特許文献１】特開２００１−２００４５２号公報
【特許文献２】特開２００３−０９６６４８号公報
【特許文献３】特開２００６−１６９６４８号公報
【特許文献４】特開２００６−２４９６１０号公報
【発明の概要】
【発明が解決しようとする課題】
【０００４】
しかし、従来の被服は、発汗が多いと水（汗）の膜が生地表面上に形成されて通気性が減少し、皮膚上の汗の気化を阻害する状態となり、無効発汗が増え、深部体温の上昇による運動パフォーマンスが低下し、不快感も高くなる問題があった。
【０００５】
本発明は、前記従来の問題を解決するため、吸水性を有しながら、生地が湿潤時でも水の膜の形成を抑制し、生地の通気性を確保し、皮膚上の汗を常に身体表面上で気化することで、有効発汗量を増やし、運動パフォーマンスを低下させず、発汗時にも快適に着用できる被服用生地及びこれを用いた被服を提供する。
【課題を解決するための手段】
【０００６】
本発明の被服用生地は、生地の厚み方向に貫通した貫通孔を有する被服用生地であって、前記貫通孔は前記生地の一方向に配列しており、前記貫通孔に接する少なくとも一部には撥水または疎水領域が配置され、他の部分には親水領域が配置されていることを特徴とする。
【０００７】
本発明の被服は、前記の被服用生地を含み、前記生地部分は厚み方向に貫通した貫通孔が身丈方向に配列していることを特徴とする。
【発明の効果】
【０００８】
本発明の被服用生地及びこれを用いた被服は、貫通孔に接する少なくとも一部には撥水または疎水領域が配置され、他の部分には親水領域が配置されていることにより、貫通孔付近から親水領域に水分が移動しやすい状態になり、貫通孔付近の水の膜は形成されなくなる。すなわち、(1)貫通孔に接する少なくとも一部には撥水または疎水領域が配置されていること、(2)及び他の部分には親水領域が配置されていることの相乗効果により、生地が湿潤時でも水の膜の形成を抑制し、生地の通気性を確保し、皮膚上の汗を常に身体表面上で気化することで、有効発汗量を増やし、運動パフォーマンスを低下させず、発汗時にも快適に着用できる被服用生地及びこれを用いた被服を提供できる。
【図面の簡単な説明】
【０００９】
【図１】図１Ａは従来の衣服の通常状態における汗の移動を示す模式的説明図、図１Ｂは同大量発汗状態における汗の移動を示す模式的説明図、図１Ｃは本発明の一実施形態の衣服の大量発汗状態における汗の移動を示す模式的説明図である。
【図２】図２は本発明の一実施形態における被服用生地の平面写真（倍率２）である。
【図３】図３Ａは図２を説明する図面、図３Ｂは同、模式的断面図である。
【図４】図４Ａは同、別の一実施形態における被服用生地の平面写真（倍率２）、図４Ｂは同裏面写真（倍率２）である。
【図５】図５Ａは図４Ａを説明する図面、図５Ｂは図４Ｂを説明する図面である。
【図６】図６は同、別の一実施形態における被服用生地の平面写真（倍率２）である。
【図７】図７は図６を説明する図面である。
【図８】図８は本発明の実施例及び比較例の被服用生地見本である。
【図９】図９Ａは本発明の実施例の湿潤状態における外気への熱移動量の測定方法を説明する模式的説明図、図９Ｂ−Ｃは同測定の装置を示す写真である。
【図１０】図１０Ａ-Ｂは同、湿潤状態における外気への熱移動量の測定発汗時の衣服の放熱性測定方法を説明する説明図である。
【図１１】図１１は本実施例及び比較例のシャツの着用試験結果を示すグラフである。
【図１２】図１２は本実施例及び比較例のシャツの着用試験結果を示すグラフである。
【発明を実施するための形態】
【００１０】
本発明は、生地の厚み方向に貫通した貫通孔を有し、前記貫通孔は前記生地の一方向に配列している被服用生地である。一方向とは、生地のタテ、ヨコ、斜めのいずれでもよいが、タテ又はヨコに配列しているのが好ましい。被服にしたときに貫通孔はタテに配列させるのが好ましいからである。ヨコ、斜めに配列した場合でも、一定間隔ごとにタテ方向に貫通孔が出現すると本発明の性能は確保できる。この生地は織物、編物等いかなる生地であってもよい。貫通孔に接する少なくとも一部には撥水または疎水領域が配置され、他の部分には親水領域が配置されている。前記において、「貫通孔に接する少なくとも一部」とは、１０％以上をいい、好ましくは２０％以上であり、さらに好ましくは３０％以上である。この構造により、貫通孔付近から親水領域に水分が移動しやすい状態になり、貫通孔付近の水の膜は形成されなくなる。この結果、前記被服用生地は、発汗により濡れた状態においても貫通孔の通気性が確保され、有効発汗量を増やし、運動パフォーマンスを低下させず、発汗時にも快適に着用できる被服用生地及びこれを用いた被服を提供できる。貫通孔の平面形状は、丸、楕円、四角、ひし形、三角、多角形、不定形のどのような形状でも良い。
【００１１】
本発明の生地は、貫通孔の一部には撥水または疎水領域が配置されることにより、貫通孔の毛細管現象より表面張力が大きくなる。これにより、生地表面の水分が移動しやすい状態になり、貫通孔に水の膜ができなくなる。また、貫通孔に水分が充填されたとしても、ある部分は親水領域、その他の部分は撥水または疎水領域のため、表面張力が異なるので、貫通孔にある水の力がかかるバランスが均等ではないため、貫通孔に水の膜ができなくなる。撥水もしくは疎水領域を貫通孔の周囲、少なくとも貫通孔の一部に接するように配置するのが好ましい。生地の一部には、体表面から排出された汗を吸収できるように親水領域を配置されている。親水領域は少なくとも１０％以上配置されることが好ましい。撥水または疎水領域は、撥水または疎水状態の糸を編織して構成、撥水または疎水状態の樹脂を生地に塗布して構成することができる。親水領域は、親水状態の糸を編織して構成、親水状態の樹脂を生地に塗布して構成することができる。
【００１２】
本発明の生地は、貫通孔の一部には撥水または疎水状態の糸が配置されることにより、貫通孔の毛細管現象より表面張力が大きくなる。生地表面の水分が移動しやすい状態になり、貫通孔に水の膜ができなくなる。撥水もしくは疎水性の糸を貫通孔の周囲、少なくとも貫通孔の一部に接するように配置するのが好ましい。生地の一部には、体表面から排出された汗を吸収できるように親水状態の糸を配置されている。親水性の糸は少なくとも１０％以上配置されることが好ましい。
【００１３】
生地を地面に対して垂直方向に設置した際、垂直方向に水が流れやすいラインを設けてもよい。垂直方向のラインは、糸密度の疎密、もしくは撥水または疎水領域を連続にすることで形成される。糸密度の疎密を構成するには、生地の度目、糸の撚り数、捲縮率、編み方、エンボス加工などの手法が用いられる。撥水または疎水領域の連続を構成するには、撥水糸または疎水糸の連続した配置、例えば経編による撥水糸、または疎水糸の連続した糸が編み込まれた状態、もしくは撥水又は疎水プリント加工、例えば、ストライプ状などにプリント加工を行う状態などがある。ある一定の長さのラインが規則的に繰り返し出現してもよいラインは直線だけでなく、波型の曲線でも良い。
【００１４】
本発明において、撥水性繊維糸及び疎水性繊維糸から選ばれる少なくとも一つの繊維糸（Ｉ）は、例えばポリプロピレン繊維糸、ポリエチレン繊維糸、ポリエステル(PET等)糸の疎水性繊維糸、有機繊維糸（例えば前記疎水性繊維糸）を撥水加工した糸、生地状態でプリント撥水加工した糸部分を含む。親水性繊維糸（ＩＩ）は、コットン紡績糸、レーヨン等のセルロース繊維紡績糸、高架橋ポリアクリレート系繊維紡績糸、これらの繊維とポリエステル(PET等)繊維との混紡糸、これらの繊維とポリエステル(PET等)のマルチフィラメント糸との複合紡績糸（精紡交撚糸を含む）、ナイロン糸、親水加工したポリエステル(PET等)繊維糸等、生地状態でプリント親水加工した糸部分を含む。一例として、撥水性繊維糸及び疎水性繊維糸から選ばれる少なくとも一つの繊維糸（Ｉ）は貫通孔を構成する繊維として用い、親水性繊維糸（ＩＩ）は地の部分に用いることもできる。
【００１５】
親水性繊維糸を使用した部位は、滴下法評価（JIS L 1907 A法）において、180秒以内に吸水する事が望ましい。より好ましくは、60秒以内である。本発明の生地に、滴下法評価（JIS L 1907 A法）した際、撥水性繊維糸及び疎水性繊維糸を使用した部位より、親水性繊維糸を使用した部位の方が保水する事が好ましい。
【００１６】
本発明の生地は、撥水または疎水領域（Ａ）と親水領域（Ｂ）が被服用生地を占める面積比がＡ：Ｂ＝１：９９〜９０：１０であることが好ましく、さらに好ましくは２：９８〜８５：２５であり、とくに好ましくは２：９８〜８０：２０である。ここで、撥水糸または疎水糸の連続した配置、例えば経編による撥水糸、または疎水糸の連続した糸が編み込まれた場合の撥水または疎水領域（Ａ）の面積とは、デジタルマイクロスコープ（製品品番VH-Z25、キーエンス社製）を用いて測定した無負荷の生地の状態での糸の太さと、単位面積あたりの生地を構成している糸の本数を掛け合わせたものをいう。また、撥水または疎水領域を樹脂を塗布して撥水または疎水領域（Ａ）を構成した場合は、単位面積あたりの樹脂の塗布面積をいう。撥水または疎水領域（Ａ）以外を親水領域（Ｂ）とし、それをもとに撥水または疎水領域（Ａ）と親水領域（Ｂ）の面積比を算出する。また、撥水性繊維糸及び疎水性繊維糸から選ばれる少なくとも一つの繊維糸（Ｉ）と、親水性繊維糸（ＩＩ）の割合は、被服用生地を１００質量％としたとき、Ａ：Ｂ＝１：９９〜９０：１０が好ましく、さらに好ましくは２：９８〜８５：２５であり、とくに好ましくは２：９８〜８０：２０である。これにより、さらに水分が移動しやすい状態になり、貫通孔付近の水の膜は形成されなくなる。
【００１７】
好ましい態様として、本発明の被服用生地の生地重量１００％に対して、３００％の水分を湿潤させた状態で、前記貫通孔が垂直方向となるように吊り下げたとき、前記貫通孔は空隙を維持する。
【００１８】
本発明の被服用生地は、一方向に配列されている貫通孔と同一方向に溝（ライン）が形成されていることが好ましい。これにより、発汗量が多くなった時には溝（ライン）から水が流れやすくなる。溝（ライン）方向は身丈方向とするのが好ましい。また溝幅は０．１〜３０ｍｍが好ましく、さらに好ましくは０．３〜２０ｍｍである。溝部（ライン）は、撥水性繊維糸及び疎水性繊維糸から選ばれる少なくとも一つの繊維糸（Ｉ）で構成される生地部分に形成するのが好ましい。水が流れやすくなるからである。前記溝部は、親水性繊維糸の編地部分は相対的に厚く、撥水性繊維糸又は疎水性繊維糸の編地部分は相対的に薄く形成することにより、撥水性繊維糸又は疎水性繊維糸の編地部分を溝部としてもよい。
【００１９】
貫通孔の大きさは、タテ及びヨコ方向の長さでいずれも平均０．３ｍｍ以上２５ｍｍ以下が好ましく、さらに好ましくは０．３〜２０ｍｍである。これにより、さらに有効発汗量を増やし、運動パフォーマンスを低下させず、発汗時にも快適に着用できる被服用生地及びこれを用いた被服を提供できる。
【００２０】
前記被服用生地の開口率は、１％以上５０％以下が好ましく、さらに好ましくは２〜４０％である。これにより、さらに有効発汗量を増やし、運動パフォーマンスを低下させず、発汗時にも快適に着用できる被服用生地及びこれを用いた被服を提供できる。なお開口率とは、生地において、貫通孔の占める割合をいう。
【００２１】
本発明の被服用生地に使用する繊維糸は、紡績糸、マルチフィラメント糸、マルチフィラメント糸を加工した捲縮糸等いかなるものも使用できる。捲縮糸を使用する場合は、捲縮率が異なる糸を上下に配置するのが好ましい。捲縮率が高いと保水量が大きくなり、捲縮率が低いと保水量が小さくなり、それらが上下方向に配置されることで、水の粒が大きくなり、水の粒の移動の加速を繰り返す事により、空隙が確保される。撚り糸を使用する場合は、撚数が１００回／ｍ以上異なる２種類以上の糸で構成することが好ましい。
【００２２】
本発明の生地は、織物でも編物でもよい。織物としては、平織、斜文織、朱子織、変化平織、変化斜文織、変化朱子織、変わり織、紋織、片重ね織、二重組織、多重組織、経パイル織、緯パイル織、絡み織等を基本とし、タテ又はヨコ、斜めの一方向に貫通孔を形成する。編物としては、丸編、緯編、経編（トリコット編、ラッセル編を含む）、パイル編等を含み、平編、天竺編、リブ編、スムース編（両面編）、ゴム編、パール編、デンビー組織、コード組織、アトラス組織、鎖組織、挿入組織等を基本とし、タテ又はヨコ、斜めの一方向に貫通孔を形成する。この中でも、編物であることが好ましい。編物であると、湿潤時に織目又は編目が平面方向に伸長し、通気性が高くなる。加えて、目付け（単位面積あたりの重量）も軽く、衣類の発汗の多い部分に使用するのに適している。編物としては、トリコット、ラッシェルなどの経編、緯編、丸編などのニット編物が好ましい。本発明において、生地の好ましい目付けは４０ｇ／ｍ2以上３００ｇ／ｍ2未満である。衣類の発汗の多い部分に使用するため、薄手生地が好ましい。本発明の生地は、ワンウエイ、ツーウエイでもよく、ポリウレタンなどの弾性糸を含んでもよい。
【００２３】
本発明の被服は、前記生地を含み、前記生地部分は厚み方向に貫通した貫通孔が身丈、斜め方向に配列している。これにより汗の水分はタテ方向に流れやすく、貫通孔の通気性は確保される。この被服はスポーツ用被服とすることが好ましい。とくに発汗の多い暑い時期に使用するスポーツ用被服に好適である。前記生地は少なくとも人体の発汗の多い部分に配置して衣類とする。例えばスポーツシャツ、Ｔシャツ、インナーシャツ、トレーニング用ウォーマー、ブリーフ、一般のシャツ、ブリーフ等の全部に使用しても良いし、脇、背中等の一部に使用しても良い。
【００２４】
以下、図面を用いて本発明の好適な一実施形態の被服用生地を説明する。以下の図面において、同一符号は同一物を示す。図１Ａは従来衣服の通常状態における汗の移動を示す模式的説明図である。肌１１から出た汗１３ａ，１３ｂは被服１２ａの空隙部から外気側に拡散する。１４は空気の流れである。図１Ｂは従来衣服の大量発汗状態における汗の移動を示す模式的説明図である。大量発汗状態においては、衣服の濡れは大きくなり、水の膜が発生し、被服１２ｂの空隙部は無くなるか少なくなってしまい、汗１３も空気１４も肌１１面に残存してしまい、無効発汗が増え、深部体温の上昇による運動パフォーマンスが低下し、不快感も高くなる。
【００２５】
これに対して図１Ｃは、本発明の一実施形態の衣服の大量発汗状態における汗の移動を示す模式的説明図である。大量発汗状態になり、衣服の濡れは大きくなっても、貫通孔の空隙は確保されるため、水の膜の形成を抑制し、生地１２Ｃの通気性を確保し、肌１１から出た汗１３ａ，１３ｂは被服１２ｃの空隙部から外気側に拡散する。また、皮膚上の汗を常に身体表面上で気化することで、有効発汗量を増やし、運動パフォーマンスを低下させず、発汗時にも快適に着用できる。
【００２６】
図２は本発明の一実施形態における被服用生地の平面写真（倍率２）、図３Ａは図２を説明する平面図、図３Ｂは同模式的断面図である。この生地１は厚み方向に貫通した貫通孔２を有し、この貫通孔２は生地１のタテ方向に配列している。貫通孔１に接する少なくとも一部には撥水性繊維糸又は疎水性繊維糸３が配置され、他の部分には親水性繊維糸４が配置されている。親水性繊維糸４の編地部分は厚く、撥水性繊維糸又は疎水性繊維糸３の編地部分は薄いことからタテ方向に溝部（ライン）５を形成している。撥水性繊維糸又は疎水性繊維糸３が配置されている部分は撥水又は疎水領域となり、親水性繊維糸４が配置されている部分は親水領域となる。
【００２７】
図４Ａは同、別の一実施形態における被服用生地の平面写真（倍率２）、図４Ｂは同裏面写真（倍率２）、図５Ａは図４Ａを説明する図面、図５Ｂは図４Ｂを説明する図面である。この生地６は厚み方向に貫通した貫通孔２を有し、この貫通孔２は生地６のタテ方向に配列している。貫通孔１に接する少なくとも一部には撥水性繊維糸又は疎水性繊維糸３が配置され、他の部分には親水性繊維糸４が配置されている。図６は同、さらに別の一実施形態における被服用生地の平面写真（倍率２）、図７は図６を説明する図面である。この生地７は厚み方向に貫通した貫通孔２を有し、この貫通孔２は生地７のタテ方向に配列している。貫通孔１に接する少なくとも一部には撥水性繊維糸又は疎水性繊維糸３が配置され、他の部分には親水性繊維糸４が配置されている。親水性繊維糸４の編地部分は厚く、撥水性繊維糸又は疎水性繊維糸３の編地部分は薄いことからタテ方向に溝部（ライン）５を形成している。
【実施例】
【００２８】
以下実施例を用いてさらに具体的に説明する。なお、本発明は下記の実施例に限定して解釈されるものではない。
【００２９】
（実施例１〜５、比較例１〜４）
表１に示す内容の生地を作成した。撥水性糸又は疎水性糸Ｉで貫通孔を含む生地部分を形成し、他の部分は親水性糸IIで形成した。実施例１（開発品Ａ）、実施例２（開発品Ｂ）、比較例１（比較品ａ）、比較例３（比較品c）および比較例４（比較品d）はシャツを対象とし、実施例３（開発品Ｃ）、実施例５（開発品Ｅ）及び比較例２（比較品ｂ）はインナーシャツを対象としている。表１において、ＰＥＴはポリエチレンテレフタレート繊維糸、ＰＰはポリプロピレン繊維糸、ＰＵはポリウレタン繊維糸のことである。また、Tはdicitex，ｆはフィラメント数、番手はメートル番手、SDはセミダルを示す。実施例１〜５の開発品Ａ-Ｅの生地表面と裏面は、図８に示すとおりである。実施例１,実施例２, 実施例３、実施例５および比較例４には、ＰＥＴ繊維糸の表面に撥水加工を施した撥水糸を用いた。また、実施例４には疎水性のＰＰ繊維糸、親水性糸としてＰＥＴ繊維と高架橋ポリアクリレート系繊維との混紡紡績糸を用いた。
【００３０】
【表１】
2019131915.tif 000003
【００３１】
実施例品１〜５、比較例品１〜２の開口率を測定した。開口率は下記の方法で測定した。
（１）生地の画像を印刷し、４点の貫通孔の中心を結んだ線分で形成された四角形の範囲を切り取る。
（２）切り取られた四角形の部分の紙重量Ｗ1を測定する。
（３）切り取られた四角形部分に入っている貫通孔を切り取り、その紙重量Ｗ2を測定する。
（４）開口率＝（１−Ｗ2／Ｗ1）×１００で算出する。
各生地の開口率を表２にまとめて示す。
【００３２】
【表２】
2019131915.tif 000004
【００３３】
乾燥時及び湿潤時の通気抵抗を測定した。測定には通気抵抗試験機ＫＥＳ−Ｆ８（カトーテック社製）を用いた。この測定は、大気中へ空気を放出・吸引し、放出・吸引時の圧力を検知し、通気抵抗Ｒを算出することにより行った。
通気量：４ｃｃ／ｃｍ2／ｓｅｃ．（通気量一定方式）
通気穴面積：２πｃｍ2
乾燥時の通気抵抗は、生地を乾燥させた状態で温度２０℃、相対湿度６５％Ｒ．Ｈ．の条件で測定した。
湿潤時の通気抵抗は生地質量１００％に対して、３００％の水分を湿潤させた状態で、空気の放出・吸引方向を地面と平行で測定した。温度と湿度は前記と同じである。測定方法は次のとおりである。
（１）生地が地面に対して垂直の状態となるようにした。
（２）水槽の中に浸漬させた試料を取り出し、試験機に生地を設置した。
（３）ＫＥＳの試験マニュアルに準拠した方法で測定開始した。
各生地の通気抵抗値を表３にまとめて示す。
【００３４】
【表３】
2019131915.tif 000005
【００３５】
表３から明らかなとおり、本実施例品は比較例品に比べて乾燥時も湿潤時も通気抵抗値が低く、とくに湿潤時の通気抵抗値は顕著に低いことがわかる。湿潤時の通気抵抗値は0.1kPa*s/m2以下であると衣服内から衣服外に水分が抜ける体感が得られる。
【００３６】
湿潤状態における外気への熱移動量の測定発汗時の衣服の放熱性測定を行った。  恒温恒湿層：８０℃、相対湿度：９５％Ｒ．Ｈ．、使用機器：熱流センサＺ（製品品番：２０１５ＴＣ、日置電機社製）とした。測定装置は図９Ａ-Ｃに示すとおりであり、測定方法は次のとおりである。
（１）カップの淵に試料を取り付け、その際に生地の裏側が恒温恒湿層側になるようにする。
（２）イオン交換水に１分以上試料を浸漬する。
（３）生地の経方向が垂直方向になるように水から試料を取り出し、恒温恒湿層の吹き出し口に５秒以内にセットする。
（４）水から試料を取り出してから５秒後に測定開始する。
（５）測定は計１分３０秒で終了。
（６）解析は、測定開始から１〜１５秒後の積分値を算出する。
各生地の熱流量値を表４（シャツ地）及び表５（インナーシャツ地）にまとめて示す。
【００３７】
【表４】
2019131915.tif 000006
【００３８】
【表５】
2019131915.tif 000007
【００３９】
表４及び表５に示すように、実施例１−３品（開発品Ａ及びＢ）は熱流量値が高く、その分着心地が良いことがわかる。
【００４０】
次に、湿潤状態における外気への熱移動量の測定発汗時の衣服の放熱性測定を行った。使用機器は熱流センサＺ（製品品番：２０１５ＴＣ、日置電機社製）とした。
（１）比較品と開発品を左右で切り替えた試料を作製し、図１０のように熱流センサを取り付ける。その際に熱流センサは、衣服との間に３ｍｍの空間を設けるように設置し、衣服内から外部へ熱が移動する方向を＋とする。
（２）環境温度２８℃、８０％ＲＨに設定した環境試験室内で、速度５ｍｉｎ／ｋｍに設定したトレッドミル上で３０分ランニングを実施。その際に、ランニングを想定し、前方から風速２．５ｍ／ｓの風を当てる。
（３）解析は，測定開始から２５〜３０分の計５分間の熱移動量の積分値を算出する。
以上の結果を表６に示す。
【００４１】
【表６】
2019131915.tif 000008
【００４２】
比較品の場合、被験者が汗をかいてウェアが濡れてしまうランニング開始から１５〜２０分を境に、熱が衣服内から外気へ移動しなくなり、値がマイナスを示すものもあった。これに対して、本実施例品（開発品）の場合、汗をかいてウェアが濡れてしまったとしても通気性を保つことで汗を蒸発させ、外部へ放熱することができるので、値は常にプラスを示した。
【００４３】
次に、各生地を用いてシャツを縫製し、着用試験を行った。着用試験は、８月に関西エリアにて、開発品および比較品を着用し運動。大量発汗時の着心地を官能検査（ＳＤ法、両極尺度、５段階）で評価した。
・被験者は健常な２０〜４０代の日本人男性である。
・モニターは５ｍｉｎ／ｋｍ、３０分のランニングで行った。
・評点は、普段の運動時の感覚を基準（ふつう）にして評価した。
・開発品より肌側に何も着用しなかった。
・評価は、(1)生地の湿潤面積(広いほど悪い)。(2)吸汗速乾。(3)べたつき感。(4)通気性、(5)汗をかくタイミング(早いほど悪い)。(6)着心地が良い。評価基準は、−２（悪い）、−１（やや悪い）、０（ふつう）、１（やや良い）、２（良い）とした。
図１１及び図１２に本実施例、比較例のシャツの着用試験結果のグラフを示す。図１１及び図１２から、比較品よりも開発品の方が、発汗でウェアが濡れた時の通気性が良いことがわかり、本発明品のコンセプトが体感できていることが確認できた。
【産業上の利用可能性】
【００４４】
本発明の生地は、例えばスポーツシャツ、Ｔシャツ、インナーシャツ、ブリーフ、タイツ、タイツ、一般のシャツ、ブリーフ等の全部に使用しても良いし、脇、背中等の一部に使用しても良い。
【符号の説明】
【００４５】
１，６，７  被服用生地
２  貫通孔
３  撥水性繊維糸又は疎水性繊維糸
４  親水性繊維糸
５  溝部（ライン）
１１  肌
１２ａ，１２ｂ，１２ｃ  被服
１３ａ，１３ｂ  汗
１４  空気の流れ
【図１】
2019131915.tif 000009
【図２】
2019131915.tif 000010
【図３】
2019131915.tif 000011
【図４】
2019131915.tif 000012
【図５】
2019131915.tif 000013
【図６】
2019131915.tif 000014
【図７】
2019131915.tif 000015
【図８】
2019131915.tif 000016
【図９】
2019131915.tif 000017
【図１０】
2019131915.tif 000018
【図１１】
2019131915.tif 000019
【図１２】
2019131915.tif 000020
【手続補正書】
【提出日】平成30年6月29日(2018.6.29)
【手続補正１】
【補正対象書類名】特許請求の範囲
【補正対象項目名】全文
【補正方法】変更
【補正の内容】
【特許請求の範囲】
【請求項１】
生地の厚み方向に貫通した貫通孔を有する被服用生地であって、
前記貫通孔は前記生地の一方向に配列しており、
前記貫通孔に接する少なくとも一部には撥水または疎水領域が配置され、他の部分には親水領域が配置されており、
前記被服用生地の生地重量１００％に対して、３００％水分を湿潤させた状態で、前記貫通孔が垂直方向となるように吊り下げたとき、前記貫通孔は空隙を維持することを特徴とする被服用生地。
【請求項２】
生地の厚み方向に貫通した貫通孔を有する被服用生地であって、
前記貫通孔は前記生地の一方向に配列しており、
前記貫通孔に接する少なくとも一部には撥水または疎水領域が配置され、他の部分には親水領域が配置されており、
生地を地面に対して垂直方向に設置した際、垂直方向に水が流れやすいラインを有することを特徴とする被服用生地。
【請求項３】
前記被服用生地は、撥水または疎水領域（Ａ）と親水領域（Ｂ）が被服用生地を占める面積比がＡ：Ｂ＝１：９９〜９０：１０である請求項１又は２に記載の被服用生地。
【請求項４】
前記撥水または疎水領域には撥水性繊維糸及び疎水性繊維糸から選ばれる少なくとも一つの繊維糸が配置され、前記親水領域には親水性繊維糸が配置されている請求項１〜３のいずれかに記載の被服用生地。
【請求項５】
前記被服用生地は、撥水性繊維糸及び疎水性繊維糸から選ばれる少なくとも一つの繊維糸（Ｉ）と、親水性繊維糸（ＩＩ）の割合が、被服用生地を１００質量％としたとき、Ｉ：ＩＩ＝１：９９〜９０：１０である請求項４に記載の被服用生地。
【請求項６】
前記貫通孔の大きさは、タテ及びヨコ方向の長さでいずれも平均０．３ｍｍ以上２５ｍｍ以下である請求項１〜５のいずれかに記載の被服用生地。
【請求項７】
前記被服用生地の開口率は、１％以上５０％以下である請求項１〜６のいずれかに記載の被服用生地。
【請求項８】
前記撥水または疎水領域は溝部の少なくとも一部となっている請求項１〜７のいずれかに記載の被服用生地。
【請求項９】
前記溝部の幅は０．１〜３０ｍｍである請求項１〜８のいずれかに記載の被服用生地。
【請求項１０】
請求項１〜９のいずれかに記載の被服用生地を含み、前記生地部分は厚み方向に貫通した貫通孔が身丈方向に配列していることを特徴とする被服。
【請求項１１】
前記被服はスポーツ用被服である請求項１０に記載の被服。
【手続補正２】
【補正対象書類名】明細書
【補正対象項目名】０００６
【補正方法】変更
【補正の内容】
【０００６】
本発明の被服用生地は、生地の厚み方向に貫通した貫通孔を有する被服用生地であって、前記貫通孔は前記生地の一方向に配列しており、前記貫通孔に接する少なくとも一部には撥水または疎水領域が配置され、他の部分には親水領域が配置されており、前記被服用生地の生地重量１００％に対して、３００％水分を湿潤させた状態で、前記貫通孔が垂直方向となるように吊り下げたとき、前記貫通孔は空隙を維持することを特徴とする。
本発明の別の被服用生地は、生地の厚み方向に貫通した貫通孔を有する被服用生地であって、前記貫通孔は前記生地の一方向に配列しており、前記貫通孔に接する少なくとも一部には撥水または疎水領域が配置され、他の部分には親水領域が配置されており、生地を地面に対して垂直方向に設置した際、垂直方向に水が流れやすいラインを有することを特徴とする。
【手続補正書】
【提出日】平成30年7月25日(2018.7.25)
【手続補正１】
【補正対象書類名】特許請求の範囲
【補正対象項目名】全文
【補正方法】変更
【補正の内容】
【特許請求の範囲】
【請求項１】
生地の厚み方向に貫通した貫通孔を有する被服用生地であって、
前記貫通孔は前記生地の一方向に配列しており、
前記貫通孔に接する少なくとも一部には撥水または疎水領域が配置され、他の部分には親水領域が配置されており、
前記被服用生地の生地重量１００％に対して、３００％水分を湿潤させた状態で、前記貫通孔が垂直方向となるように吊り下げたとき、前記貫通孔は空隙を維持することを特徴とする被服用生地。
【請求項２】
生地の厚み方向に貫通した貫通孔を有する被服用生地であって、
前記貫通孔は前記生地の一方向に配列しており、
前記貫通孔に接する少なくとも一部には撥水または疎水領域が配置され、他の部分には親水領域が配置されており、
生地を地面に対して垂直方向に設置した際、垂直方向に水が流れやすいラインを有することを特徴とする被服用生地。
【請求項３】
前記被服用生地は、撥水または疎水領域（Ａ）と親水領域（Ｂ）が被服用生地を占める面積比がＡ：Ｂ＝１：９９〜９０：１０である請求項１又は２に記載の被服用生地。
【請求項４】
前記撥水または疎水領域には撥水性繊維糸及び疎水性繊維糸から選ばれる少なくとも一つの繊維糸が配置され、前記親水領域には親水性繊維糸が配置されている請求項１〜３のいずれかに記載の被服用生地。
【請求項５】
前記被服用生地は、撥水性繊維糸及び疎水性繊維糸から選ばれる少なくとも一つの繊維糸（Ｉ）と、親水性繊維糸（ＩＩ）の割合が、被服用生地を１００質量％としたとき、Ｉ：ＩＩ＝１：９９〜９０：１０である請求項４に記載の被服用生地。
【請求項６】
前記貫通孔の大きさは、タテ及びヨコ方向の長さでいずれも平均０．３ｍｍ以上２５ｍｍ以下である請求項１〜５のいずれかに記載の被服用生地。
【請求項７】
前記被服用生地の開口率は、１％以上５０％以下である請求項１〜６のいずれかに記載の被服用生地。
【請求項８】
前記撥水または疎水領域は溝部の少なくとも一部となっている請求項１〜７のいずれかに記載の被服用生地。
【請求項９】
前記溝部の幅は０．１〜３０ｍｍである請求項８に記載の被服用生地。
【請求項１０】
請求項１〜９のいずれかに記載の被服用生地を含み、前記生地部分は厚み方向に貫通した貫通孔が身丈方向に配列していることを特徴とする被服。
【請求項１１】
前記被服はスポーツ用被服である請求項１０に記載の被服。
【手続補正２】
【補正対象書類名】明細書
【補正対象項目名】００１６
【補正方法】変更
【補正の内容】
【００１６】
本発明の生地は、撥水または疎水領域（Ａ）と親水領域（Ｂ）が被服用生地を占める面積比がＡ：Ｂ＝１：９９〜９０：１０であることが好ましく、さらに好ましくは２：９８〜８５：１５であり、とくに好ましくは２：９８〜８０：２０である。ここで、撥水糸または疎水糸の連続した配置、例えば経編による撥水糸、または疎水糸の連続した糸が編み込まれた場合の撥水または疎水領域（Ａ）の面積とは、デジタルマイクロスコープ（製品品番VH-Z25、キーエンス社製）を用いて測定した無負荷の生地の状態での糸の太さと、単位面積あたりの生地を構成している糸の本数を掛け合わせたものをいう。また、撥水または疎水領域を樹脂を塗布して撥水または疎水領域（Ａ）を構成した場合は、単位面積あたりの樹脂の塗布面積をいう。撥水または疎水領域（Ａ）以外を親水領域（Ｂ）とし、それをもとに撥水または疎水領域（Ａ）と親水領域（Ｂ）の面積比を算出する。また、撥水性繊維糸及び疎水性繊維糸から選ばれる少なくとも一つの繊維糸（Ｉ）と、親水性繊維糸（ＩＩ）の割合は、被服用生地を１００質量％としたとき、Ａ：Ｂ＝１：９９〜９０：１０が好ましく、さらに好ましくは２：９８〜８５：１５であり、とくに好ましくは２：９８〜８０：２０である。これにより、さらに水分が移動しやすい状態になり、貫通孔付近の水の膜は形成されなくなる。
【手続補正３】
【補正対象書類名】明細書
【補正対象項目名】００２３
【補正方法】変更
【補正の内容】
【００２３】
本発明の被服は、前記生地を含み、前記生地部分は厚み方向に貫通した貫通孔が身丈、斜め方向に配列している。これにより汗の水分はタテ方向に流れやすく、貫通孔の通気性は確保される。この被服はスポーツ用被服とすることが好ましい。とくに発汗の多い暑い時期に使用するスポーツ用被服に好適である。前記生地は少なくとも人体の発汗の多い部分に配置して衣類とする。例えばスポーツシャツ、Ｔシャツ、インナーシャツ、トレーニング用ウォーマー、ブリーフ、一般のシャツ等の全部に使用しても良いし、脇、背中等の一部に使用しても良い。
【手続補正４】
【補正対象書類名】明細書
【補正対象項目名】００２６
【補正方法】変更
【補正の内容】
【００２６】
図２は本発明の一実施形態における被服用生地の平面写真（倍率２）、図３Ａは図２を説明する平面図、図３Ｂは同模式的断面図である。この生地１は厚み方向に貫通した貫通孔２を有し、この貫通孔２は生地１のタテ方向に配列している。貫通孔２に接する少なくとも一部には撥水性繊維糸又は疎水性繊維糸３が配置され、他の部分には親水性繊維糸４が配置されている。親水性繊維糸４の編地部分は厚く、撥水性繊維糸又は疎水性繊維糸３の編地部分は薄いことからタテ方向に溝部（ライン）５を形成している。撥水性繊維糸又は疎水性繊維糸３が配置されている部分は撥水又は疎水領域となり、親水性繊維糸４が配置されている部分は親水領域となる。
【手続補正５】
【補正対象書類名】明細書
【補正対象項目名】００２７
【補正方法】変更
【補正の内容】
【００２７】
図４Ａは同、別の一実施形態における被服用生地の平面写真（倍率２）、図４Ｂは同裏面写真（倍率２）、図５Ａは図４Ａを説明する図面、図５Ｂは図４Ｂを説明する図面である。この生地６は厚み方向に貫通した貫通孔２を有し、この貫通孔２は生地６のタテ方向に配列している。貫通孔２に接する少なくとも一部には撥水性繊維糸又は疎水性繊維糸３が配置され、他の部分には親水性繊維糸４が配置されている。図６は同、さらに別の一実施形態における被服用生地の平面写真（倍率２）、図７は図６を説明する図面である。この生地７は厚み方向に貫通した貫通孔２を有し、この貫通孔２は生地７のタテ方向に配列している。貫通孔２に接する少なくとも一部には撥水性繊維糸又は疎水性繊維糸３が配置され、他の部分には親水性繊維糸４が配置されている。親水性繊維糸４の編地部分は厚く、撥水性繊維糸又は疎水性繊維糸３の編地部分は薄いことからタテ方向に溝部（ライン）５を形成している。
【手続補正６】
【補正対象書類名】明細書
【補正対象項目名】００３５
【補正方法】変更
【補正の内容】
【００３５】
表３から明らかなとおり、本実施例品は比較例品に比べて乾燥時も湿潤時も通気抵抗値が低く、とくに湿潤時の通気抵抗値は顕著に低いことがわかる。湿潤時の通気抵抗値は0.1kPa・s/m2 以下であると衣服内から衣服外に水分が抜ける体感が得られる。
【手続補正７】
【補正対象書類名】明細書
【補正対象項目名】００３６
【補正方法】変更
【補正の内容】
【００３６】
湿潤状態における外気への熱移動量の測定発汗時の衣服の放熱性測定を行った。恒温恒湿槽：８０℃、相対湿度：９５％Ｒ．Ｈ．、使用機器：熱流センサＺ（製品品番：２０１５ＴＣ、日置電機社製）とした。測定装置は図９Ａ-Ｃに示すとおりであり、測定方法は次のとおりである。
（１）カップの淵に試料を取り付け、その際に生地の裏側が恒温恒湿槽側になるようにする。
（２）イオン交換水に１分以上試料を浸漬する。
（３）生地の経方向が垂直方向になるように水から試料を取り出し、恒温恒湿槽の吹き出し口に５秒以内にセットする。
（４）水から試料を取り出してから５秒後に測定開始する。
（５）測定は計１分３０秒で終了。
（６）解析は、測定開始から１〜１５秒後の積分値を算出する。
各生地の熱流量値を表４（シャツ地）及び表５（インナーシャツ地）にまとめて示す。
【手続補正８】
【補正対象書類名】明細書
【補正対象項目名】００３９
【補正方法】変更
【補正の内容】
【００３９】
表４及び表５に示すように、実施例１−５品（開発品Ａ〜Ｅ）は熱流量値が高く、その分着心地が良いことがわかる。
【手続補正９】
【補正対象書類名】明細書
【補正対象項目名】００４４
【補正方法】変更
【補正の内容】
【００４４】
本発明の生地は、例えばスポーツシャツ、Ｔシャツ、インナーシャツ、ブリーフ、タイツ、一般のシャツ等の全部に使用しても良いし、脇、背中等の一部に使用しても良い。